(57)【要約】      （修正有）【課題】壁体の設置後にも床フレームを取り外すことができ、効率的に施工が行える床フレームの設置構造を提供する。【解決手段】対向して設けられた一対の鉄骨梁３ａ，３ｂと、一対の鉄骨梁３ａ，３ｂ間に架設された床フレーム１０と、一方の鉄骨梁３ａ上に設けられた壁体４と、を備え、床フレーム１０は、壁体４に近接する端部１０ｃが、壁体４の表面４ｘよりも、鉄骨梁３ａから離間した位置で着脱自在に支持されている。この床フレーム１０の設置構造１では、鉄骨梁３ａ上に壁体４を設置した後であっても、壁体４によって床フレーム１０の着脱が制限されることがない。すなわち、壁体４の設置後にも床フレーム１０を取り外すことができ、効率的な施工が実現可能となる。【選択図】図２
2014211032.tif 000002
【特許請求の範囲】
【請求項１】
対向して設けられた一対の躯体梁と、
前記一対の躯体梁間に架設された床フレームと、
前記一対の躯体梁のうち少なくとも一方の前記躯体梁上に設けられた壁体と、を備え、
前記床フレームは、前記壁体に近接する端部が、前記壁体の表面よりも前記一方の躯体梁から離間した位置で着脱自在に支持されていることを特徴とする床フレームの設置構造。
【請求項２】
前記一方の躯体梁には、前記床フレームの前記端部を支持する受け具が設けられており、前記受け具は、前記壁体の表面よりも前記一方の躯体梁から離間した内側の位置で前記床フレームの前記端部を着脱自在に支持していることを特徴とする請求項１記載の床フレームの設置構造。
【請求項３】
前記受け具は、前記壁体の下端部を支持する壁受け部と、該壁受け部から突設され、且つ前記床フレームの前記端部を支持するフレーム受け部と、を有し、
前記壁受け部は、前記一方の躯体梁の側縁部よりも前記内側に突き出た部分を有することを特徴とする請求項２記載の床フレームの設置構造。
【請求項４】
前記壁体の下方であって前記躯体梁の前記内側には、その内表面が前記壁体の表面に揃う補助壁部材が設けられ、
前記受け具には、前記一方の躯体梁の上端部よりも上方で前記補助壁部材の上端部を収容する補助壁収容部が凹設されていることを特徴とする請求項２または３記載の床フレームの設置構造。
【発明の詳細な説明】
【技術分野】
【０００１】
本発明は、一対の躯体梁間に設けられる床フレームの設置構造に関する。
【背景技術】
【０００２】
従来、戸建て住宅等の施工は、最初に基礎の施工が行われ、その後に、梁柱等を設置する躯体工事、屋根や外壁パネル間の目地を埋める防水工事、界壁やユニットバス等を設置する躯体内部工事が行われ、最後に木工事や仕上げ工事が行われる。このような工程で進行する建物の施工では、効率化の観点から、各工事が別々の業者により行われることが多い。そのため、前工程の工事結果を変更する場合には、他の業者の協力が必要となり施工が非効率となるおそれがある。
【０００３】
例えば、浴室部（ユニットバス）の設置施工では、ユニットバスの設置位置によっては、躯体工事の結果を一部変更しなければユニットバスの設置が行えない場合がある。躯体工事の結果を一部変更する場合、再度の躯体工事とユニットバスの設置という２つの施工が必要となり、この場合、躯体工事を行う設置業者とユニットバスを設置する設置業者とが混在して作業を行うこととなる。すなわち、施工のみならず設置業者が混在することとなる。このことで、設置業者による施工が非効率になるという問題がある。かかる問題を解決すべく、例えば特許文献１には、ユニットフロアに固定された複数の小梁を大梁に着脱自在とした構成が開示されている。
【先行技術文献】
【特許文献】
【０００４】
【特許文献１】特開２００４−２７８２１０号公報
【発明の概要】
【発明が解決しようとする課題】
【０００５】
ユニットバスの施工は、躯体梁と該躯体梁に架設される床フレームが設置される躯体工事、及び、躯体工事後に行われる該躯体梁上への壁体の設置施工、の後に行われることが一般的である。ここで、躯体梁上に壁体が設置された後には、特許文献１に記載された構成をもってしても床フレームを取り外すことはできない。この場合、床フレームを残したままユニットバス設置作業を行うか、施工手順を見直す必要があり、施工性が悪化するという問題があった。
【０００６】
そこで、本願発明は、施工手順を改変することなく、躯体施工後にユニットバス等の後設置物を設置することができる床フレームの設置構造を提供することを目的とする。
【課題を解決するための手段】
【０００７】
本発明に係る床フレームの設置構造は、対向して設けられた一対の躯体梁と、一対の躯体梁間に架設された床フレームと、一対の躯体梁のうち少なくとも一方の躯体梁上に設けられた壁体と、を備え、床フレームは、その壁体に近接する端部が、壁体の表面よりも一方の躯体梁から離間した位置で着脱自在に支持されていることを特徴とする。
【０００８】
本発明によれば、壁体下の躯体梁から見て、その躯体梁に対して壁体の表面よりも該躯体梁から離間した位置に床フレームの端部が設けられることとなる。その結果、躯体梁上に壁体を設置した後であっても、該壁体によって床フレームの着脱が制限されることがない。すなわち、壁体の設置後にも床フレームを取り外すことができ、効率的に施工を行うことが可能となる。
【０００９】
また、一方の躯体梁には、床フレームの端部を支持する受け具が設けられており、受け具は、壁体の表面よりも上記の一方の躯体梁から離間した内側の位置で床フレームの端部を着脱自在に支持していると好適である。これによれば、床フレームの端部を、受け具を介して、壁体の表面よりも躯体梁間の内側に位置づけた状態で確実に架設できる。
【００１０】
また、受け具は、壁体の下端部を支持する壁受け部と、該壁受け部から突設され、且つ床フレームの端部を支持するフレーム受け部と、を有し、壁受け部は、一方の躯体梁の側縁部よりも内側に突き出た部分を有していると好適である。受け具が壁受け部とフレーム受け部とを有していることで、床フレームのみならず壁体をも支持することができる。また、壁受け部が躯体梁の側縁部よりも該躯体梁と対向する躯体梁側に突き出た部分を含んでいることで、躯体梁の幅よりも大きい壁厚を有する壁体を支持することが可能となる。
【００１１】
また、壁体の下方であって躯体梁の内側には、その内表面が壁体の表面に揃う補助壁部材が設けられ、受け具には、一方の躯体梁の上端部よりも上方で補助壁部材の上端部を収容する補助壁収容部が凹設されていることが好適である。躯体梁と隣り合う位置に設けられた補助壁部材の上端部が、該躯体梁の上端部よりも上方に位置することで、補助壁部材の上端部と躯体梁の上端部との間で段差が生じることとなる。このことで、躯体梁の側方から見ると躯体梁の上端部が補助壁部材により覆われることとなり、補助壁部材により躯体梁側への断熱性、防音性が高められ、躯体梁及び壁体を介して隣り合う室同士が互いの影響を受け難いものとできる。
【発明の効果】
【００１２】
本発明によれば、壁体の設置後にも床フレームを取り外すことができ、効率的に施工が行える床フレームの設置構造を提供することができる。
【図面の簡単な説明】
【００１３】
【図１】本発明の第１実施形態に係る床フレームの設置構造の平面図である。
【図２】図１のＩＩ-ＩＩ線に沿った断面図である。
【図３】図１のＩＩＩ-ＩＩＩ線に沿った断面図である。
【図４】本発明の第２実施形態に係る床フレームの設置構造の断面図である。
【発明を実施するための形態】
【００１４】
以下、添付図面を参照して、本発明の好適な実施形態について詳細に説明する。なお、以下の説明においては同一又は相当要素には同一符号を付し、重複する説明を省略する。
【００１５】
[第１実施形態]
本実施形態では、建物の２階以上の階（以下、「上階」という）に設けられている浴室部に設置される床フレーム１０の設置構造１について説明する。
【００１６】
最初に、図１、及び図２を参照して浴室部のレイアウト、及び浴室部に設置する床フレーム１０の周囲構造の概略を説明する。浴室部は、ユニットバスが設置される空間（以下、「ユニットバス空間」という）Ａと脱衣所となる空間（以下、「洗面所空間」という）Ｂを備えている。洗面所空間Ｂはユニットバス空間Ａに隣接しており、ユニットバス空間Ａには、浴槽が設置される浴槽領域Ａ１と、洗い場領域Ａ２とが設けられている。また、ユニットバス空間Ａと洗面所空間Ｂとには、同じ深さだけ落とし込まれた落とし込み部２が一体的に形成されている。なお、洗面所空間Ｂには、ユニットバス空間Ａの反対側において床部分となる空間（以下、「上階床空間」という）Ｃが隣接している。
【００１７】
ユニットバス空間Ａ、洗面所空間Ｂ、及び上階床空間Ｃの境界に沿って、柱Ｐに接続された大梁３ｂ，３ｃ及び小梁３ａ，３ｄが設置されている。具体的には、ユニットバス空間Ａ、洗面所空間Ｂ、及び上階床空間Ｃを左右から挟むようにして大梁３ｂ、及び小梁３ａが設けられており、この大梁３ｂと小梁３ａとによって対向して設けられた一対の躯体梁が形成される。
【００１８】
大梁３ｂ、及び小梁３ａの上階床空間Ｃ側の端部には大梁３ｃが架設されている。また、洗面所空間Ｂと上階床空間Ｃとの境界には、小梁３ｄが設けられている。大梁３ｂ，３ｃ及び小梁３ａ，３ｄはＨ型鋼からなり、以下の説明では総称して「鉄骨梁」という。なお、鉄骨梁３ａ，３ｂ，３ｃ上には、壁体４が設けられている。
【００１９】
落とし込み部２（図２参照）の下部には床材１１が設けられている。床材１１は、ＡＬＣ（軽量気泡コンクリート）パネルであり、施工、加工が容易で断熱性、耐火性が高い。床材１１は、鉄骨梁３ａ，３ｂ間に架設されている。床材１１は、落とし込み部２全域（ユニットバス空間Ａ及び洗面所空間Ｂの床部全域）に亘って設けられており、床フレーム１０と床材１１との間のスペースには、給水管、給湯管、排水管等の配管（図示せず）が設けられている。
【００２０】
鉄骨梁３ａの上にはＡＬＣパネルからなる床材４１の端部が当接し、この端部に隣接して受け具２０ａが固定されている。また、鉄骨梁３ｂの上には、ＡＬＣパネルからなる別の床材４１の端部が当接し、この端部に隣接して受け具２０ｂが固定されている。受け具２０ａ，２０ｂは、鉄骨梁３ａ，３ｂ上で床材４１の端部と協同して壁体４を支持する部材である。なお、鉄骨梁３ａの上方に設置された壁体４は各住戸の間を区切る界壁である。
【００２１】
次に、図１〜図３を参照し、床フレーム１０の設置構造１を詳しく説明する。床フレーム１０は、洗面所空間Ｂ（図１参照）において一対の鉄骨梁３ａ，３ｂ間に架設されている。床フレーム１０は梯子状であり、鉄骨梁３ａ，３ｂの対向方向に延在する一対の横架部１０ａと、一対の横架部１０ａ間に架設された複数の縦骨部１０ｂと、を備えている。
【００２２】
横架部１０ａの一方の端部１０ｃは、鉄骨梁３ａに近接する側に配置され、受け具２０ａに支持され、他方の端部１０ｄは、鉄骨梁３ｂに近接する側に配置され、受け具２０ｂに支持される。なお、鉄骨梁３ａ側で床フレーム１０を支持する構造と鉄骨梁３ｂ側で支持する構造とは実質的に同一であるため、以下の説明では、図３を参照して鉄骨梁３ａ側で支持する構造を中心に説明する。また、鉄骨梁３ｂ側は相違点を中心に説明し、鉄骨梁３ａ側と同一の構造や要素は図面上で同一の符号を付して説明を省略する。
【００２３】
鉄骨梁３ａは上フランジ３１、下フランジ３２、及び上フランジ３１と下フランジ３２とを連結するウェブ３３を有している。
【００２４】
ウェブ３３の内側、言い換えれば対向する鉄骨梁３ｂ側には、パネル受け金物６が固定されている。パネル受け金物６は、ウェブ３３にボルト留めされたフランジ片６１と、フランジ片６１に溶接された略Ｌ字板状の支持片６２と、支持片６２に固定され、床材１１の縁に沿って延在するパネル受け片６３と、を備えている。パネル受け片６３は、Ｌ字が上下二段となるようなクランク状に折り曲げられ、下段のＬ字形状によって下段水平片６４と下段起立片６５とが形成され、上段のＬ字形状によって上段水平片６６と上段起立片６７とが形成される。
【００２５】
下段水平片６４は落とし込み２に配置された床材１１を受け、下段起立片６５と床材１１との隙間にはモルタル１２が充填されて床材１１とパネル受け金物６とが一体的に固定されている。なお、下段起立片６５には、補助壁部材５を支える平板８が固定されている。
【００２６】
鉄骨梁３ａの上フランジ３１には、床材４１の端部に隣接して受け具２０ａがボルト留めされている。受け具２０ａは、壁受け部２２ａと、壁受け部２２ａに溶接されたフレーム受け部２１ａとを有する。壁受け部２２ａは、鉄骨梁３ａに沿った長尺で、且つ断面Ｗ字状のモルタル受け部２２ｂと、モルタル受け部２２ｂに溶接された複数の補強リブ２２ｃとを有する。
【００２７】
モルタル受け部２２ｂは、上フランジ３１に接してボルト締結される下段水平片２２ｑと、下段水平片２２ｑから屈曲して立ち上がる下段起立片２２ｒと、下段起立片２２ｒから屈曲して水平方向に延在する上段水平片２２ｓと、上段水平片２２ｓから屈曲して立ち上がる上段起立片２２ｔとを有する。
【００２８】
下段水平片２２ｑから下段起立片２２ｒにつながる連結（屈曲）部位は、鉄骨梁３ａの上フランジ３１の側縁、つまり、鉄骨梁３ａの側縁部３４ａに揃っている。また、上段起立片２２ｔの内面、言い換えれば、鉄骨梁３ａに対向する鉄骨梁３ｂ側の面は、壁体４の表面４ｘに揃っている。また、上段起立片２２ｔ、及び補強リブ２２ｃの上端、つまり壁受け部２２ａの上端は、床材４１の高さに揃っている。その結果、壁受け部２２ａ及び床材４１上に設けられる壁体４の左右（壁受け部２２ａ側、及び、床材４１側）の大きさが揃うものとなり、部材が削減される。なお、上フランジ３１、壁受け部２２ａ、及び床材４１の端部の間に形成された間隔にはモルタル１３が充填され、鉄骨梁３ａ、壁受け部２２ａ、クリップ材５３、及び床材４１が一体的に固定されている。
【００２９】
モルタル受け部２２ｂの上段水平片２２ｓは、鉄骨梁３ａの側縁部３４ａよりも内側、言い換えれば、鉄骨梁３ａに対向する鉄骨梁３ｂ側に突き出している。また、下段起立片２２ｒと上段水平片２２ｓとが屈曲して連絡することでモルタル受け部２２ｂの内側には凹部が形成され、つまり凹設された構造となっている。つまり、下段起立片２２ｒと上段水平片２２ｓとによって補助壁部材５を収容する補助壁収容部２２ｚが形成される。
【００３０】
補助壁部材５は、矩形のＡＬＣパネルからなり、落とし込み部２の側面に沿って短手が縦、長手が横になるように配置される。補助壁部材５は、下端がパネル受け片６３の上段水平片６６上に載置され、上段起立片６７及び平板８に挟まれるようにして支えられる。補助壁部材５の内側の表面（内表面）５ｘと壁体４の表面４ｘとは、完全に同一の平面上（面一）ではないものの、略揃った状態となるように配置されている。
【００３１】
補助壁部材５の上端部５１は、補助壁収容部２２ｚ内に収まるように設置され、壁受け部２２ａの下段起立片２２ｒに当接している。下段起立片２２ｒには、断面Ｕ字状に形成されたピース状のクリップ材５３が嵌め込まれる切欠きが長手方向に所定間隔で形成されており、補助壁部材５の上端部５１は、クリップ材５３と下段起立片２２ｒの間に挟持されている。
【００３２】
壁受け部２２ａには、床フレーム１０の端部１０ｃを支持する断面略Ｌ字状のフレーム受け部２１ａが固定されている。フレーム受け部２１ａは、壁受け部２２ａの上段起立片２２ｔに溶接される固定部２１ｙと、固定部２１ｙから内側、言い換えれば対向する鉄骨梁３ｂ側に突き出して床フレーム１０の端部１０ｃを支えるフレーム載置部２１ｘとを備えている。
【００３３】
壁受け部２２ａの上段起立片２２ｔは壁体４の表面４ｘに揃っており、従って、上段起立片２２ｔから内側に突き出したフレーム受け部２１ａは、鉄骨梁３ａに対して壁体４の表面４ｘよりも離間した内側の位置に設けられている。その結果、フレーム受け部２１ａに支持された床フレーム１０についても、鉄骨梁３ａに対して壁体４の表面４ｘよりも内側に離間した位置に設けられている。
【００３４】
床フレーム１０は、端部１０ｃがフレーム受け部２１ａのフレーム載置部２１ｘに載置された状態でボルト２５とナット２６とにより締結されており、締結を解くことでフレーム受け部２１ａから取り外すことができる。すなわち、床フレーム１０はフレーム受け部２１ａに着脱自在に支持されている。なお、ボルト２５とナット２６とによる締結は、ユニットバス空間Ａの設置施工完了後に行われことが好ましい。
【００３５】
界壁である鉄骨梁３ａ上の壁体４は、遮音性及び断熱性の向上を図るための種々の部材により構成されている。すなわち、壁体４は中央部近辺にロックウール等を用いた断熱材８１が設けられている。また、断熱材８１の周囲を覆うようにして、遮音シートや石膏ボードが設けられ、遮音性の向上が図られている。
【００３６】
図１、及び図２に示されるように、鉄骨梁３ｂ側の受け具２０ｂの実質的な機能は、鉄骨梁３ａ側の受け具２０ａと同様であるが、構造や形状が一部異なる。具体的には、受け具２０ｂは壁受け部２３ａとフレーム受け部２４ａとを備えており、壁受け部２３ａは、断面略Ｌ字状で鉄骨梁３ｂの上フランジ３１に取り付けられるモルタル受け部２３ｂと、補強リブ２３ｃとを備えている。モルタル受け部２３ｂは、下段水平片２３ｑが上フランジ３１にボルト締結されている。なお、壁受け部２３ａは、鉄骨梁３ａ側の壁受け部２２ａと異なり、対向する鉄骨梁３ａ側に突出した部分を有していない。
【００３７】
フレーム受け部２４ａは、壁受け部２３ａに溶接される固定部２４ｙと、固定部２４ｙから内側、言い換えれば対向する鉄骨梁３ａ側に突き出して床フレーム１０の端部１０ｄを支えるフレーム載置部２４ｘとを備えている。フレーム載置部２４ｘは、鉄骨梁３ａ側のフレーム載置部２１ｘに比べて対向する鉄骨梁３ａ側への突き出し長さが長くなっている。その結果、受け具２０ｂが床フレーム１０の端部１０ｄを支持する箇所は、鉄骨梁３ａに対して壁体４の表面４ｘよりも内側に離間した位置に設けられている。なお、壁受け部２３ａに対してフレーム受け部２４ａが突き出すことで受け具２０ｂには凹設された部位が存在することになり、この凹設された部位が補助壁部材５を収容する補助壁収容部となる。
【００３８】
次に、図１〜図３を用いて、ユニットバス施工までの一連の工程について説明する。建物の躯体を施工する工程では、柱と梁が組まれ、床パネルが敷設されると共に、外壁パネルが設置される。本実施形態に係る浴室部は、落とし込み部２に床材１１が敷設され、洗面所空間Ｂとなる床材１１の上方に床フレーム１０が設置される。以下、詳細に説明する。
【００３９】
浴室部を施工する際には、鉄骨梁３ａ，３ｂにパネル受け金物６を取り付け、落とし込み部２に床材１１を設置する。次に、落とし込み部２の周囲に沿って補助壁部材５を設置し、床フレーム１０を取り付けるための受け具２０ａ，２０ｂを鉄骨梁３ａ，３ｂに取り付ける。その後、受け具２０ａ，２０ｂに床フレーム１０を載置し、必要に応じてボルト締結などで仮止めする。その後、クリップ材５３を差し込み、補助壁部材５を固定する。
【００４０】
床フレーム１０を設置した後、受け具２０ａ，２０ｂの壁受け部２２ａ，２３ａ及び床材４１上の隙間をモルタル１３で埋め、壁体４を立設する界壁施工を行う。界壁施工に際しては、最初に、断面コ字状のランナが上下に対向するように設置され、該ランナ間にスタッドが設置される。そして、スタッドを固定しつつ下地材が組み上げられ、当該下地材に石膏ボードが敷設され界壁となる壁体４を形成する。
【００４１】
壁体施工の完了後、ユニットバス施工を行う。ユニットバス空間Ａに隣接する洗面所空間Ｂに床フレーム１０が設置されたままだとユニットバスや配管等の設置の際に邪魔になるので、まずは、床フレーム１０を取り外す。この際、床フレーム１０はフレーム受け部２１ａ，２４ａに設置されているだけなので簡単に取り外しできる。
【００４２】
その後、ユニットバス空間Ａにユニットバスを設置し、合わせて配管施工を行う。最後に、床フレーム１０を再度架設し、床フレーム１０をボルト締結によってフレーム受け部２１ａ，２４ａに固定する。
【００４３】
上述した床フレーム１０の設置構造１では、壁体４下の鉄骨梁３ａから見て、壁体４の表面４ｘよりも鉄骨梁３ａから離間した位置に床フレーム１０の端部１０ｃが設けられることとなる。また、壁体４下の鉄骨梁３ｂから見て、壁体４の表面４ｘよりも鉄骨梁３ｂから離間した位置に床フレーム１０の端部１０ｄが設けられることとなる。その結果、鉄骨梁３ａ，３ｂ上に界壁となる壁体４を設置した後に、隣接するユニットバス空間Ａにユニットバスや配管を設置する必要などが生じた場合にも、施工の邪魔になる床フレーム１０の着脱が制限されることはない。すなわち、壁体４の設置後にも床フレーム１０を取り外すことができ、効率的な施工が実現可能となる。
【００４４】
また、鉄骨梁３ａには、床フレーム１０の端部１０ｃを、壁体４の表面４ｘよりも、鉄骨梁３ａから離間した内側の位置で着脱自在に支持する受け具２０ａが設けられており、同様に、鉄骨梁３ｂには、受け具２０ｂが設けられている。したがって、床フレーム１０を、その端部１０ｃ，１０ｄを壁体４の表面４ｘよりも鉄骨梁３ａ，３ｂ間の内側に位置づけた状態で、受け具２０ａを介して鉄骨梁３ａに確実に架設できる。
【００４５】
また、受け具２０ａは、壁体４の下端部を支持する壁受け部２２ａと、壁受け部２２ａから突設され、且つ床フレーム１０の端部１０ｃを支持するフレーム受け部２１ａとを有し、同様に、受け具２０ｂは、壁受け部２３ａと、フレーム受け部２３ａとを有している。その結果、受け具２０ａ，２０ｂにより、床フレーム１０だけでなく壁体４も支持できる。
【００４６】
更に、壁受け部２２ａが、壁体４下の鉄骨梁３ａの側縁部３４ａよりも鉄骨梁３ａの対向側に突き出た部分を含んでいることで、鉄骨梁３の梁芯と壁体４の壁芯とを一致させ、鉄骨梁３ａの幅よりも大きい壁厚を有する壁体４を支持することが可能となる。
【００４７】
また、壁体４の下方であって鉄骨梁３ａ，３ｂの内側には、その内表面５ｘが壁体４の表面４ｘに略面一つまり揃った状態となる補助壁部材５が設けられ、受け具２０ａには鉄骨梁３ａの上フランジ３１よりも上方で補助壁部材５の上端部５１を収容する補助壁収容部２２ｚが凹設されており、受け具２０ｂには鉄骨梁３ｂの上フランジ３１よりも上方で補助壁部材５の上端部５１を収容する補助壁収容部２２ｚが凹設されている。その結果、補助壁部材５の上端部５１と鉄骨梁３ａ，３ｂの上フランジ３１との間で段差が生じることとなる。つまり、鉄骨梁３ａ，３ｂの側方から見た場合に、鉄骨梁３ａ，３ｂの上フランジ３１と受け具２０ａ，２０ｂの下段水平片２２ｑ，２３ｑとの継ぎ目（界面）が補助壁部材５により覆われることとなる。補助壁部材５により鉄骨梁３ａ，３ｂ側への断熱性、防音性が高められ、鉄骨梁３ａ，３ｂ及び壁体４を介して隣り合う室同士が互いの影響を受け難いものとできる。
【００４８】
[第２実施形態]
次に、図４を参照して、第２実施形態に係る床フレーム１０の設置構造１Ａについて説明する。なお、第２実施形態では、第１実施形態に係る床フレーム１０の設置構造１と実質的に同一の部材や要素を備えているので、以下の説明では、第１実施形態との相違点を中心に説明し、同一の部材や要素には同一の符号を付して重複する説明は省略する。
【００４９】
図４に示されるように、床フレーム１０の設置構造１Ａは、建物の１階に設けられるユニットバス（図示せず）の施工において、ユニットバス空間に隣接する洗面所空間に設けられる床フレーム１０の設置構造１Ａである。
【００５０】
第１実施形態とは異なり、第２実施形態では、躯体梁として鉄骨梁ではなく、鉄筋コンクリート構造の基礎梁３ｘを利用する。
【００５１】
基礎梁３ｘ上には、床材４１と受け具８５が固定されている。受け具８５は、基礎梁３ｘの上端に設置されたプレート状のフレーム受け部８５ａと、フレーム受け部８５ａの途中に立設された壁受け部８５ｂとを備えている。フレーム受け部８５ａは、壁受け部８５ｂよりも先端側で僅かに下方にオフセットしており、更にオフセットした先が壁体４の表面４ｘよりも基礎梁３ｘから対向する他の基礎梁（図示せず）側、つまり内側に突き出している。この先端側に、床フレーム１０の端部１０ｘが載置され、着脱自在にボルト締結される。壁受け部８５ｂ、床材４１、及び基礎梁３ｘの上端で形成される隙間には、モルタル１４が充填され一体的に固定されている。
【００５２】
本実施形態における床フレーム１０の設置構造１Ａでは、壁体４の表面４ｘよりも床材４１から内側に離間した位置で、床フレーム１０がフレーム受け部１２１に支持されている。その結果、壁体４を設置した後であっても、壁体４によって床フレーム１０の着脱が制限されることがない。すなわち、本実施形態のように１階に設けられるユニットバスの施工においても、効率的な施工が実現できる。
【００５３】
以上、本発明について各実施形態に基づいて説明したが、本発明は、以上の各実施形態のみに限定されない。例えば、第１実施形態では、対向して設けられた梁３ａ，３ｂの双方の上方に壁体４が設けられているとして説明したが、本発明に係る床フレームの設置構造では、対向して設けられた躯体梁の一方の躯体梁上方にのみ壁体が設けられるものであってもよい。また、一方の躯体梁上にのみ壁体、他方の躯体梁上には壁体を有しない間取り構造の場合、一方の躯体梁側にのみ本願発明の構成を採用し、他方の躯体梁には公知の方法で床フレームを着脱自在に支持する構成を採用することができる。
【符号の説明】
【００５４】
１，１Ａ…床フレームの設置構造、３ａ，３ｂ…鉄骨梁（躯体梁）、３ｘ…基礎梁（躯体梁）、４…壁体、４ｘ…表面、５…補助壁部材、５ｘ…補助壁部材の内側の表面（内表面）、１０…床フレーム、１０ｃ，１０ｄ，１０ｘ…床フレームの端部、２０ａ，２０ｂ，８５…受け具、２１ａ，２４ａ，８５ａ…フレーム受け部、２２ａ，２３ａ，８５ｂ…壁受け部、２２ｚ…補助壁収容部、３１…上フランジ（躯体梁の上端部）、３４ａ…鉄骨梁の側縁部（躯体梁の側縁部）。
【図１】
2014211032.tif 000003
【図２】
2014211032.tif 000004
【図３】
2014211032.tif 000005
【図４】
2014211032.tif 000006